(57)【特許請求の範囲】
【請求項１】
ＰＷＭ  ＩＣと、電圧調整速度制御ユニットと、第１Ｎ型スイッチユニットと、第１コンデンサと、抵抗ユニットと、電圧出力ユニットとを含み、
前記ＰＷＭ  ＩＣの入力端子がＩ２Ｃバスに電気的に接続され、第１出力端子が電圧調整速度制御ユニットに電気的に接続され、第２出力端子が前記電圧出力ユニットの制御端子に電気的に接続され、補償端子が前記抵抗ユニットの第１端子に電気的に接続され、
前記電圧調整速度制御ユニットが第２スイッチユニットと、第２コンデンサと、電流源と、コンパレータとを含み、
前記第２スイッチユニットの制御端子が前記ＰＷＭ  ＩＣの第１出力端子に電気的に接続され、第１端子及び第２端子がそれぞれ前記第２コンデンサの第１端子及び第２端子に電気的に接続され、
前記第２コンデンサの第１端子が電流源の出力端子に電気的に接続され、第２端子が接地され、
前記コンパレータの反転入力端子が前記第２コンデンサの第１端子に電気的に接続され、非反転入力端子が基準電圧に接続され、出力端子が前記第１Ｎ型スイッチユニットの制御端子に電気的に接続され、
前記第１Ｎ型スイッチユニットの第１端子及び第２端子が前記抵抗ユニットの第１端子及び第２端子にそれぞれ電気的に接続され、
前記第１コンデンサの第１端子が前記抵抗ユニットの第２端子に電気的に接続され、第２端子が接地され、
前記電圧出力ユニットの出力端子が出力電圧を出力し、
前記ＰＷＭ  ＩＣは、その入力端子にＩ２Ｃバスから伝送される出力電圧を電圧値だけ上昇又は下降させる信号を受信した場合に、前記第２スイッチユニットに制御信号を出力して前記第２スイッチユニットをオンにしてオフにするように制御し、その第２出力端子から出力されるパルス信号を対応して変化させて前記電圧出力ユニットを制御して出力電圧を前記電圧値だけ上昇又は下降させる出力電圧調整回路。
【請求項２】
前記出力電圧が前記電圧値の上昇又は下降が終了した場合に、前記第２コンデンサの第１端子の電圧が基準電圧と同じである、
請求項１に記載の出力電圧調整回路。
【請求項３】
前記第２コンデンサは充電が飽和した場合に、その第１端子の電圧が前記基準電圧よりも大きい、
請求項１に記載の出力電圧調整回路。
【請求項４】
前記抵抗ユニットは、第１抵抗及び第２抵抗を含み、前記第１抵抗の第１端子と第２抵抗の第１端子とが前記抵抗ユニットの第１端子として電気的に接続され、前記第１抵抗の第２端子と第２抵抗の第２端子とが前記抵抗ユニットの第２端子として電気的に接続される、
請求項１に記載の出力電圧調整回路。
【請求項５】
前記第１Ｎ型スイッチユニット及び前記第２スイッチユニットがそれぞれ第１Ｎ型電界効果トランジスタ及び第２Ｎ型電界効果トランジスタであり、
前記第１Ｎ型電界効果トランジスタは、ゲートが前記第１Ｎ型スイッチユニットの制御端子であり、ソースが前記第１Ｎ型スイッチユニットの第２端子であり、ドレインが前記第１Ｎ型スイッチユニットの第１端子であり、
前記第２Ｎ型電界効果トランジスタは、ゲートが前記第２スイッチユニットの制御端子であり、ソースが前記第２スイッチユニットの第２端子であり、ドレインが前記第２スイッチユニットの第１端子である、
請求項１に記載の出力電圧調整回路。
【請求項６】
前記ＰＷＭ  ＩＣが、高電位の制御信号を出力して前記第２スイッチユニットをオンに制御し、低電位の制御信号を出力して前記第２スイッチユニットをオフに制御する、
請求項５に記載の出力電圧調整回路。
【請求項７】
前記電圧調整速度制御ユニットが前記ＰＷＭ  ＩＣに集積される、
請求項１に記載の出力電圧調整回路。
【請求項８】
前記出力電圧がオン電圧である、
請求項１に記載の出力電圧調整回路。
【請求項９】
請求項１に記載の出力電圧調整回路を含む、液晶表示装置。
【請求項１０】
ＰＷＭ  ＩＣと、電圧調整速度制御ユニットと、第１Ｎ型スイッチユニットと、第１コンデンサと、抵抗ユニットと、電圧出力ユニットとを含み、
前記ＰＷＭ  ＩＣの入力端子がＩ２Ｃバスに電気的に接続され、第１出力端子が電圧調整速度制御ユニットに電気的に接続され、第２出力端子が前記電圧出力ユニットの制御端子に電気的に接続され、補償端子が前記抵抗ユニットの第１端子に電気的に接続され、
前記電圧調整速度制御ユニットが第２スイッチユニットと、第２コンデンサと、電流源と、コンパレータとを含み、
前記第２スイッチユニットの制御端子が前記ＰＷＭ  ＩＣの第１出力端子に電気的に接続され、第１端子及び第２端子がそれぞれ前記第２コンデンサの第１端子及び第２端子に電気的に接続され、
前記第２コンデンサの第１端子が電流源の出力端子に電気的に接続され、第２端子が接地され、
前記コンパレータの反転入力端子が前記第２コンデンサの第１端子に電気的に接続され、非反転入力端子が基準電圧に接続され、出力端子が第１Ｎ型スイッチユニットの制御端子に電気的に接続され、
前記第１Ｎ型スイッチユニットの第１端子及び第２端子が抵抗ユニットの第１端子及び第２端子にそれぞれ電気的に接続され、
前記第１コンデンサの第１端子が抵抗ユニットの第２端子に電気的に接続され、第２端子が接地され、
前記電圧出力ユニットの出力端子が出力電圧を出力し、
前記ＰＷＭ  ＩＣは、その入力端子にＩ２Ｃバスから伝送される出力電圧を電圧値だけ上昇又は下降させる信号を受信した場合に、第２スイッチユニットに制御信号を出力して第２スイッチユニットをオンにしてオフにするように制御し、その第２出力端子から出力されるパルス信号を対応して変化させて電圧出力ユニットを制御して出力電圧を前記電圧値だけ上昇又は下降させ、
前記出力電圧が前記電圧値の上昇又は下降が終了した場合に、前記第２コンデンサの第１端子の電圧が基準電圧と同じであり、
前記第２コンデンサは充電が飽和した場合に、その第１端子の電圧が前記基準電圧よりも大きく、
前記抵抗ユニットは、第１抵抗及び第２抵抗を含み、前記第１抵抗の第１端子と第２抵抗の第１端子とが抵抗ユニットの第１端子として電気的に接続され、前記第１抵抗の第２端子と第２抵抗の第２端子とが抵抗ユニットの第２端子として電気的に接続され、
前記第１Ｎ型スイッチユニット及び第２スイッチユニットがそれぞれ第１Ｎ型電界効果トランジスタ及び第２Ｎ型電界効果トランジスタであり、
前記第１Ｎ型電界効果トランジスタは、ゲートが第１Ｎ型スイッチユニットの制御端子であり、ソースが前記第１Ｎ型スイッチユニットの第２端子であり、ドレインが前記第１Ｎ型スイッチユニットの第１端子であり、
前記第２Ｎ型電界効果トランジスタは、ゲートが前記第２スイッチユニットの制御端子であり、ソースが前記第２スイッチユニットの第２端子であり、ドレインが前記第２スイッチユニットの第１端子である、
出力電圧調整回路。
【請求項１１】
前記ＰＷＭ  ＩＣが、高電位の制御信号を出力して前記第２スイッチユニットをオンに制御し、低電位の制御信号を出力して前記第２スイッチユニットをオフに制御する請求項１０に記載の出力電圧調整回路。
【請求項１２】
前記電圧調整速度制御ユニットが前記ＰＷＭ  ＩＣに集積される、
請求項１０に記載の出力電圧調整回路。
【請求項１３】
前記出力電圧がオン電圧である、請求項１０に記載の出力電圧調整回路。
【発明の詳細な説明】
【技術分野】
【０００１】
本発明は、表示技術分野に関し、特に出力電圧調整回路及び液晶表示装置に関する。
【背景技術】
【０００２】
液晶表示装置（Ｌｉｑｕｉｄ  Ｃｒｙｓｔａｌ  Ｄｉｓｐｌａｙ，ＬＣＤ）は、薄型、省電力、無輻射などの多くの利点を有するため、液晶テレビ、携帯電話、携帯情報端末（ＰＤＡ）、デジタルカメラ、コンピュータ画面又はノートパソコン画面などに幅広く適用されており、フラットパネルディスプレイ分野で主導的地位を占める。
【０００３】
現在市販されている液晶表示装置の大部分は、液晶表示パネル及びバックライトモジュール（Ｂａｃｋｌｉｇｈｔ  Ｍｏｄｕｌｅ）を含むバックライト型液晶表示装置である。液晶表示パネルの動作原理は、薄膜トランジスタアレイ基板（Ｔｈｉｎ  Ｆｉｌｍ  Ｔｒａｎｓｉｓｔｏｒ  Ａｒｒａｙ  Ｓｕｂｓｔｒａｔｅ，ＴＦＴ  Ａｒｒａｙ  Ｓｕｂｓｔｒａｔｅ）とカラーフィルタ基板（Ｃｏｌｏｒ  Ｆｉｌｔｅｒ，ＣＦ）との間に液晶分子を注入するとともに、両基板に駆動電圧を印加して液晶分子の回転方向を制御することで、バックライトモジュールの光を屈折させて画面を生成することである。
【０００４】
従来技術においてＴＦＴ−ＬＣＤを駆動する場合に、いずれも電源電圧（ＶＤＤ）、オン電圧（ＶＧＨ）、オフ電圧（ＶＧＬ）を含む複数種の駆動電圧がＴＦＴ−ＬＣＤに入力される。各駆動電圧の電圧値が異なるため、所定の電圧値の駆動電圧を得るためには、昇圧（Ｂｏｏｓｔ）回路及び降圧（Ｂｕｃｋ）回路を含む電圧出力回路により入力電圧を上昇又は下降させる動作を行う必要がある。電圧出力回路が動作する際、通常、パルス信号を出力するためのパルス幅変調チップ（ＰＷＭ  ＩＣ）を搭載する必要がある。パルス幅変調チップから出力されるパルス信号のデューティ比を変化させることにより、電圧出力ユニットにおける電界効果トランジスタのオン／オフ時間の比率を制御して、電圧出力ユニットから出力される出力電圧を調整する機能が実現される。ＴＦＴ−ＬＣＤで用いられるパルス幅変調チップは、一般的にデジタルチップであり、Ｉ２Ｃバスに接続される。Ｉ２Ｃバスから出力電圧を変化させる信号を書き込むことで、対応して出力されるパルス信号が変化される。電圧出力ユニットは、その出力電圧の電圧値を対応して変化させるよう制御される。
【発明の概要】
【発明が解決しようとする課題】
【０００５】
しかしながら、従来技術において、Ｉ２Ｃバスがパルス幅変調チップに出力電圧を変化させる信号を入力した後に、パルス幅変調チップは、そのパルス信号のデューティ比を変更後の出力電圧に対応するデューティ比に直接変化させ、それに応じて、電圧出力ユニットも現在の出力電圧を変更後の出力電圧に直接変化させる。例えば、Ｉ２Ｃバスがパルス幅変調チップに出力電圧を３０Ｖから３２Ｖに変化させる信号を入力した後に、パルス幅変調チップは、そのパルス信号のデューティ比を３２Ｖに対応する値に直接変化させ、電圧出力ユニットは、出力電圧を３０Ｖから３２Ｖに直接変化させる。これにより電圧が急速に立ち上がり、大電流を招き、ひいてはチップがオフになることもある。
【課題を解決するための手段】
【０００６】
本発明の目的は、ＰＷＭ  ＩＣがＩ２Ｃバスから伝送される信号を受信した後に、電圧出力ユニットを制御して出力電圧を変化させる速度を低下させ、回路の信頼性を向上させることができる出力電圧調整回路を提供することにある。
【０００７】
本発明の他の目的は、ＰＷＭ  ＩＣがＩ２Ｃバスから伝送される信号を受信した後に、電圧出力ユニットを制御して出力電圧を変化させる速度を低下させ、装置の信頼性を向上させることができる液晶表示装置を提供することにある。
【０００８】
上記の目的を達成するために、本発明は、ＰＷＭ  ＩＣと、電圧調整速度制御ユニットと、第１Ｎ型スイッチユニットと、第１コンデンサと、抵抗ユニットと、電圧出力ユニットとを含む出力電圧調整回路を提供しており、
前記ＰＷＭ  ＩＣの入力端子がＩ２Ｃバスに電気的に接続され、第１出力端子が電圧調整速度制御ユニットに電気的に接続され、第２出力端子が電圧出力ユニットの制御端子に電気的に接続され、補償端子が抵抗ユニットの第１端子に電気的に接続され、
前記電圧調整速度制御ユニットが第２スイッチユニットと、第２コンデンサと、電流源と、コンパレータとを含み、
前記第２スイッチユニットの制御端子がＰＷＭ  ＩＣの第１出力端子に電気的に接続され、第１端子及び第２端子がそれぞれ第２コンデンサの第１端子及び第２端子に電気的に接続され、
前記第２コンデンサの第１端子が電流源の出力端子に電気的に接続され、第２端子が接地され、
前記コンパレータの反転入力端子が第２コンデンサの第１端子に電気的に接続され、非反転入力端子が基準電圧に接続され、出力端子が第１Ｎ型スイッチユニットの制御端子に電気的に接続され、
前記第１Ｎ型スイッチユニットの第１端子及び第２端子が抵抗ユニットの第１端子及び第２端子にそれぞれ電気的に接続され、
前記第１コンデンサの第１端子が抵抗ユニットの第２端子に電気的に接続され、第２端子が接地され、
前記電圧出力ユニットの出力端子が出力電圧を出力し、
前記ＰＷＭ  ＩＣは、その入力端子にＩ２Ｃバスから伝送される出力電圧を電圧値だけ上昇又は下降させる信号を受信した場合に、第２スイッチユニットに制御信号を出力して第２スイッチユニットをオンにしてオフにするように制御し、その第２出力端子から出力されるパルス信号を対応して変化させて電圧出力ユニットを制御して出力電圧を前記電圧値だけ上昇又は下降させる。
【０００９】
前記出力電圧が前記電圧値の上昇又は下降が終了した場合に、前記第２コンデンサの第１端子の電圧が基準電圧と同じである。
【００１０】
前記第２コンデンサは充電が飽和した場合に、その第１端子の電圧が前記基準電圧よりも大きい。
【００１１】
前記抵抗ユニットは、第１抵抗及び第２抵抗を含み、前記第１抵抗の第１端子と第２抵抗の第１端子とが抵抗ユニットの第１端子として電気的に接続され、前記第１抵抗の第２端子と第２抵抗の第２端子とが抵抗ユニットの第２端子として電気的に接続される。
【００１２】
前記第１Ｎ型スイッチユニット及び第２スイッチユニットがそれぞれ第１Ｎ型電界効果トランジスタ及び第２Ｎ型電界効果トランジスタであり、
前記第１Ｎ型電界効果トランジスタは、ゲートが第１Ｎ型スイッチユニットの制御端子であり、ソースが第１Ｎ型スイッチユニットの第２端子であり、ドレインが第１Ｎ型スイッチユニットの第１端子であり、
前記第２Ｎ型電界効果トランジスタは、ゲートが第２スイッチユニットの制御端子であり、ソースが第２スイッチユニットの第２端子であり、ドレインが第２スイッチユニットの第１端子である。
【００１３】
前記ＰＷＭ  ＩＣが、高電位の制御信号を出力して第２スイッチユニットをオンに制御し、低電位の制御信号を出力して第２スイッチユニットをオフに制御する。
【００１４】
前記電圧調整速度制御ユニットが前記ＰＷＭ  ＩＣに集積される。
【００１５】
前記出力電圧がオン電圧である。
【００１６】
本発明は、上記の出力電圧調整回路を含む液晶表示装置をさらに提供している。
【００１７】
本発明は、ＰＷＭ  ＩＣと、電圧調整速度制御ユニットと、第１Ｎ型スイッチユニットと、第１コンデンサと、抵抗ユニットと、電圧出力ユニットとを含む出力電圧調整回路をさらに提供しており、
前記ＰＷＭ  ＩＣの入力端子がＩ２Ｃバスに電気的に接続され、第１出力端子が電圧調整速度制御ユニットに電気的に接続され、第２出力端子が電圧出力ユニットの制御端子に電気的に接続され、補償端子が抵抗ユニットの第１端子に電気的に接続され、
前記電圧調整速度制御ユニットが第２スイッチユニットと、第２コンデンサと、電流源と、コンパレータとを含み、
前記第２スイッチユニットの制御端子がＰＷＭ  ＩＣの第１出力端子に電気的に接続され、第１端子及び第２端子がそれぞれ第２コンデンサの第１端子及び第２端子に電気的に接続され、
前記第２コンデンサの第１端子が電流源の出力端子に電気的に接続され、第２端子が接地され、
前記コンパレータの反転入力端子が第２コンデンサの第１端子に電気的に接続され、非反転入力端子が基準電圧に接続され、出力端子が第１Ｎ型スイッチユニットの制御端子に電気的に接続され、
前記第１Ｎ型スイッチユニットの第１端子及び第２端子が抵抗ユニットの第１端子及び第２端子にそれぞれ電気的に接続され、
前記第１コンデンサの第１端子が抵抗ユニットの第２端子に電気的に接続され、第２端子が接地され、
前記電圧出力ユニットの出力端子が出力電圧を出力し、
前記ＰＷＭ  ＩＣは、その入力端子にＩ２Ｃバスから伝送される出力電圧を電圧値だけ上昇又は下降させる信号を受信した場合に、第２スイッチユニットに制御信号を出力して第２スイッチユニットをオンにしてオフにするように制御し、その第２出力端子から出力されるパルス信号を対応して変化させて電圧出力ユニットを制御して出力電圧を前記電圧値だけ上昇又は下降させ、
前記出力電圧が前記電圧値の上昇又は下降が終了した場合に、前記第２コンデンサの第１端子の電圧が基準電圧と同じであり、
前記第２コンデンサは充電が飽和した場合に、その第１端子の電圧が前記基準電圧よりも大きく、
前記抵抗ユニットは、第１抵抗及び第２抵抗を含み、前記第１抵抗の第１端子と第２抵抗の第１端子とが抵抗ユニットの第１端子として電気的に接続され、前記第１抵抗の第２端子と第２抵抗の第２端子とが抵抗ユニットの第２端子として電気的に接続され、
前記第１Ｎ型スイッチユニット及び第２スイッチユニットがそれぞれ第１Ｎ型電界効果トランジスタ及び第２Ｎ型電界効果トランジスタであり、
前記第１Ｎ型電界効果トランジスタは、ゲートが第１Ｎ型スイッチユニットの制御端子であり、ソースが第１Ｎ型スイッチユニットの第２端子であり、ドレインが第１Ｎ型スイッチユニットの第１端子であり、
前記第２Ｎ型電界効果トランジスタは、ゲートが第２スイッチユニットの制御端子であり、ソースが第２スイッチユニットの第２端子であり、ドレインが第２スイッチユニットの第１端子である。
【００１８】
本発明の有益な効果は以下の通りである。本発明に係る出力電圧調整回路は、ＰＷＭ  ＩＣと、電圧調整速度制御ユニットと、第１Ｎ型スイッチユニットと、第１コンデンサと、抵抗ユニットと、電圧出力ユニットとを含む。電圧調整速度制御ユニットが第２スイッチユニットと、第２コンデンサと、電流源と、コンパレータとを含む。ＰＷＭ  ＩＣがその入力端子に、Ｉ２Ｃバスから伝送された出力電圧を電圧値だけ上昇又は下降させる信号を受信した場合に、それに応じて電圧出力ユニットを制御して出力電圧を前記電圧値だけ上昇又は下降させるとともに、第２スイッチユニットをオンにしてオフにするように制御する。
【００１９】
第２コンデンサの第１端子の電圧を接地電圧から徐々に上昇させ、基準電圧まで上昇する前にコンパレータが高電位を出力して、第１Ｎ型スイッチユニットをオンにしてＰＷＭ  ＩＣの補償端子を第１コンデンサの第１端子と直接接続する。これにより、ＰＷＭ  ＩＣにより電圧出力ユニットを制御して出力電圧を変化させる速度を効果的に低下させ、回路の信頼性を向上させることができる。本発明に係る液晶表示装置は、上記の出力電圧調整回路を含み、ＰＷＭ  ＩＣがＩ２Ｃバスから伝送される信号を受信した後に、電圧出力ユニットを制御して出力電圧を変化させる速度を低下させ、装置の信頼性を向上させることができる。
【図面の簡単な説明】
【００２０】
本発明の特徴及び技術的内容をより一層明らかにするために、以下の本発明に関する詳細な説明及び添付図面を参照するが、添付図面は、参照及び説明のためのものに過ぎず、本発明を限定するものではない。
【００２１】
【図１】図１は、本発明の出力電圧調整回路の回路図である。
【図２】図２は、本発明の出力電圧調整回路の好ましい実施例の動作を示すシーケンス図である。
【発明を実施するための形態】
【００２２】
以下、本発明に用いられた技術的手段及びその効果をより明らかにするために、本発明の好ましい実施例及びその添付図面を参照して詳細に説明する。
【００２３】
図１に示すように、本発明に係る出力電圧調整回路は、ＰＷＭ  ＩＣ１００と、電圧調整速度制御ユニット２００と、第１Ｎ型スイッチユニット３００と、第１コンデンサＣ１と、抵抗ユニット４００と、電圧出力ユニット５００とを含む。前記ＰＷＭ  ＩＣ１００の入力端子はＩ２Ｃバス６００に電気的に接続され、第１出力端子は電圧調整速度制御ユニット２００に電気的に接続され、第２出力端子は電圧出力ユニット５００の制御端子に電気的に接続され、補償端子ＣＯＭＰは抵抗ユニット４００の第１端子に電気的に接続される。
【００２４】
前記電圧調整速度制御ユニット２００は、第２スイッチユニット２１０と、第２コンデンサＣ２と、電流源ＤＣと、コンパレータ２２０とを含む。前記第２スイッチユニット２１０の制御端子はＰＷＭ  ＩＣ１００の第１出力端子に電気的に接続され、第１端子及び第２端子はそれぞれ第２コンデンサＣ２の第１端子及び第２端子に電気的に接続される。前記第２コンデンサＣ２の第１端子は、電流源ＤＣの出力端子に電気的に接続され、第２端子は接地される。前記コンパレータ２２０の反転入力端子は第２コンデンサＣ２の第１端子に電気的に接続され、非反転入力端子は基準電圧Ｖｒｅｆに接続され、出力端子は第１Ｎ型スイッチユニット３００の制御端子に電気的に接続される。
【００２５】
前記第１Ｎ型スイッチユニット３００の第１端子及び第２端子は抵抗ユニット４００の第１端子及び第２端子にそれぞれ電気的に接続される。前記第１コンデンサＣ１の第１端子は抵抗ユニット４００の第２端子に電気的に接続され、第２端子は接地される。前記電圧出力ユニット５００の出力端子は出力電圧Ｖｏｕｔを出力する。
【００２６】
前記ＰＷＭ  ＩＣ１００は、その入力端子にＩ２Ｃバス６００から伝送される出力電圧Ｖｏｕｔを電圧値だけ上昇又は下降させる信号を受信した場合に、第２スイッチユニット２１０に制御信号を出力して第２スイッチユニット２１０をオンにしてオフにするように制御し、その第２出力端子から出力されるパルス信号を対応して変化させて電圧出力ユニット５００を制御して出力電圧Ｖｏｕｔを前記電圧値だけ上昇又は下降させる。
【００２７】
具体的には、本発明の好ましい実施例において、前記出力電圧Ｖｏｕｔが前記電圧値の上昇又は下降が終了した場合に、前記第２コンデンサＣ２の第１端子の電圧が基準電圧Ｖｒｅｆと同じである。
【００２８】
具体的には、本発明の好ましい実施例において、前記第２コンデンサＣ２は充電が飽和した場合に、その第１端子の電圧が前記基準電圧Ｖｒｅｆよりも大きい。
【００２９】
具体的には、前記抵抗ユニット４００は、第１抵抗Ｒ１及び第２抵抗Ｒ２を含み、前記第１抵抗Ｒ１の第１端子と第２抵抗Ｒ２の第１端子とが抵抗ユニット４００の第１端子として電気的に接続され、前記第１抵抗Ｒ１の第２端子と第２抵抗Ｒ２の第２端子とが抵抗ユニット４００の第２端子として電気的に接続される。
【００３０】
具体的には、前記第１Ｎ型スイッチユニット３００及び第２スイッチユニット２１０がそれぞれ第１Ｎ型電界効果トランジスタＱ１及び第２Ｎ型電界効果トランジスタＱ２である。前記第１Ｎ型電界効果トランジスタＱ１は、ゲートが第１Ｎ型スイッチユニット３００の制御端子であり、ソースが第１Ｎ型スイッチユニット３００の第２端子であり、ドレインが第１Ｎ型スイッチユニット３００の第１端子である。前記第２Ｎ型電界効果トランジスタＱ２は、ゲートが第２スイッチユニット２１０の制御端子であり、ソースが第２スイッチユニット２１０の第２端子であり、ドレインが第２スイッチユニット２１０の第１端子である。さらに、前記ＰＷＭ  ＩＣ１００が、高電位の制御信号を出力して第２スイッチユニット２１０をオンに制御し、低電位の制御信号を出力して第２スイッチユニット２１０をオフに制御する。
【００３１】
具体的には、前記電圧調整速度制御ユニット２００が前記ＰＷＭ  ＩＣ１００に集積される。
【００３２】
具体的には、前記出力電圧Ｖｏｕｔが、オン電圧、オフ電圧、電源電圧などの液晶表示装置で一般的に用いられる駆動電圧であってもよい。
【００３３】
なお、図１及び図２を参照して、本発明の好ましい実施例を例として、本発明の出力電圧調整回路の動作過程を分析する。
【００３４】
出力電圧を調整する前、電圧出力ユニット５００から出力される出力電圧Ｖｏｕｔは一定である。ＰＷＭ  ＩＣ１００は制御信号を出力して第２スイッチユニット２１０をオフに制御し、第２コンデンサＣ２は電流源ＤＣを介して飽和状態に充電される。このとき、第２コンデンサＣ２の第１端子の電圧Ｖ１は基準電圧Ｖｒｅｆよりも大きく、コンパレータ２２０の出力端子は低電位を出力し、第１Ｎ型スイッチユニット３００はオフになり、ＰＷＭ  ＩＣ１００の補償端子ＣＯＭＰは抵抗ユニット４００、第１コンデンサＣ１を介して接地され、ループ補償構造を形成する。
【００３５】
出力電圧を調整する際、Ｉ２Ｃバス６００は出力電圧Ｖｏｕｔを電圧値だけ上昇又は下降させる信号をＰＷＭ  ＩＣ１００に伝送する。ＰＷＭ  ＩＣ１００は、第２スイッチユニット２１０に制御信号を出力して、第２スイッチユニット２１０をオンにした後にオフにするように制御する。これにより、第２コンデンサＣ２の第１端子の電圧Ｖ１を接地電圧まで放電させ、次に、電流源ＤＣの充電により、第２コンデンサＣ２の第１端子の電圧Ｖ１を徐々に上昇させる。同時に、前記ＰＷＭ  ＩＣ１００は、その第２出力端子から出力されるパルス信号を対応して変化させ、電圧出力ユニット５００を制御して出力電圧Ｖｏｕｔを対応して上昇又は下降させる。
【００３６】
第２コンデンサＣ２の第１端子の電圧Ｖ１が基準電圧Ｖｒｅｆまで上昇する前に、コンパレータ２２０の出力端子が常に高電位を出力するため、第１Ｎ型スイッチユニット３００を常にオンになる。したがって、ＰＷＭ  ＩＣ１００が電圧出力ユニット５００を制御して出力電圧Ｖｏｕｔを上昇又は下降させると、ＰＷＭ  ＩＣ１００の補償端子ＣＯＭＰは直接第１コンデンサＣ１を介して接地される。
【００３７】
従来技術では、ＰＷＭ  ＩＣの補償端子ＣＯＭＰに外付けされたループ補償構造における抵抗の抵抗値が大きいほど、ＰＷＭ  ＩＣの応答が速くなる。すなわち、ＰＷＭ  ＩＣがパルス信号を出力して電圧出力回路を制御して出力電圧を変化させる速度が速くなる。
【００３８】
一方、本発明では、出力電圧Ｖｏｕｔを調整すると、第１Ｎ型スイッチユニット３００が常にオンとなり、補償端子ＣＯＭＰに外付けされる抵抗が極めて小さくなり、ＰＷＭ  ＩＣ１００の応答が遅くなる。すなわち、ＰＷＭ  ＩＣ１００がその第２出力端子から出力されるパルス信号を変化させて電圧出力ユニット５００を制御し、出力電圧Ｖｏｕｔを上昇又は下降させる速度が遅くすることで、液晶表示装置に適用された場合に、電圧変化が速すぎることに起因する大電流を効果的に防止し、出力電圧調整回路及び液晶表示装置の正常動作を保証し、信頼性を向上させることができる。
【００３９】
第２コンデンサＣ２の第１端子の電圧Ｖ１が基準電圧Ｖｒｅｆよりも大きくなるまで上昇すると、コンパレータ２２０の出力端子は低電位を出力して第１Ｎ型スイッチユニット３００をオフにする。このとき、出力電圧ＶｏｕｔがＩ２Ｃバス６００から伝送される信号に対応する電圧値の上昇又は下降が終了し、ＰＷＭ  ＩＣ１００の補償端子ＣＯＭＰが再び抵抗ユニット４００、第１コンデンサＣ１を介して接地され、出力電圧を調整する前のループ補償構造を回復する。
【００４０】
その後、電流源ＤＣが第２コンデンサＣ２の充電が飽和するまで、第２コンデンサＣ２の第１端子に充電し続ける。また、１回の出力電圧調整が終了して第２コンデンサＣ２が充電飽和した後に、出力電圧調整の過程を複数回繰り返して、出力電圧Ｖｏｕｔを同一又は異なる電圧値だけ連続的に上昇又は下降させ、最後に出力電圧Ｖｏｕｔを所望の電圧値に変化させることもできる。
【００４１】
同一の発明構想に基づいて、本発明は、上記の出力電圧調整回路を含み、ＰＷＭ  ＩＣがＩ２Ｃバスから伝送される信号を受信した後に、電圧出力ユニットを制御して出力電圧を変化させる速度を低下させ、装置の信頼性を向上させることができる液晶表示装置をさらに提供している。ここでは、出力電圧調整回路の構成についての重複説明は省略する。
【００４２】
要約すると、本発明に係る出力電圧調整回路は、ＰＷＭ  ＩＣと、電圧調整速度制御ユニットと、第１Ｎ型スイッチユニットと、第１コンデンサと、抵抗ユニットと、電圧出力ユニットとを含む。電圧調整速度制御ユニットは、第２スイッチユニットと、第２コンデンサと、電流源と、コンパレータとを含む。ＰＷＭ  ＩＣは、その入力端子に、Ｉ２Ｃバスから伝送された出力電圧を電圧値だけ上昇又は下降させる信号を受信した場合に、それに応じて電圧出力ユニットを制御して出力電圧を前記電圧値だけ上昇又は下降させるとともに、第２スイッチユニットをオンにしてオフにするように制御する。
【００４３】
第２コンデンサの第１端子の電圧を接地電圧から徐々に上昇させ、基準電圧まで上昇する前にコンパレータが高電位を出力して、第１Ｎ型スイッチユニットをオンにしてＰＷＭ  ＩＣの補償端子を第１コンデンサの第１端子と直接接続する。これより、ＰＷＭ  ＩＣにより電圧出力ユニットを制御して出力電圧を変化させる速度を効果的に低下させ、回路の信頼性を向上させることができる。本発明に係る液晶表示装置は、上記の出力電圧調整回路を含み、ＰＷＭ  ＩＣがＩ２Ｃバスから伝送される信号を受信した後に、電圧出力ユニットを制御して出力電圧を変化させる速度を低下させ、装置の信頼性を向上させることができる。
【００４４】
上記の内容は、当業者にとっては、本発明の技術的手段及び技術的思想に基づいて他の様々な変更及び変形を行うことができるが、これらの変更及び変形も全て本発明に添付される特許請求の保護範囲に属するものと理解されるべきである。
【図１】
0006823758.tif 000002
【図２】
0006823758.tif 000003